(57)【要約】【課題】偽造抑止地紋が入った文書画像を伝送しても潜像が浮き上がる事なく、受信側でその画像を使用するができるファクシミリ装置を提供する。【解決手段】本発明に係る、偽造抑止地紋を含む文書画像を送信することができるファクシミリ装置は、文書画像を読み取ってスキャン画像データを生成する文書画像読取り手段と、スキャン画像データに含まれる偽造抑止地紋の背景部分の高周波成分を取り除くために、スキャン画像データに低域通過フィルタをかける低域通過フィルタ手段と、低域通過フィルタをかけられたスキャン画像データから、偽造抑止地紋を削除する下地飛ばし手段と、偽造抑止地紋を構成する情報を抽出して、受信側ファクシミリ装置で偽造抑止地紋を再構成する情報を生成する偽造抑止地紋情報抽出手段と、偽造抑止地紋が削除されたスキャン画像データとともに、偽造抑止地紋を再構成する情報を送信するスキャン画像データ送信手段とを備える。【選択図】図１
2008017429.tif 000002
【特許請求の範囲】
【請求項１】
偽造抑止地紋を含む文書画像を送信することができるファクシミリ装置であって、
前記文書画像を読み取ってスキャン画像データを生成する文書画像読取り手段と、
前記スキャン画像データに含まれる偽造抑止地紋の背景部分の高周波成分を取り除くために、前記スキャン画像データに低域通過フィルタをかける低域通過フィルタ手段と、
前記低域通過フィルタをかけられた前記スキャン画像データから、偽造抑止地紋を削除する下地飛ばし手段と、
前記スキャン画像データに含まれる偽造抑止地紋を構成する情報を抽出して、受信側ファクシミリ装置で偽造抑止地紋を再構成する情報を生成する偽造抑止地紋情報抽出手段と、
偽造抑止地紋が削除された前記スキャン画像データとともに、前記偽造抑止地紋を再構成する情報を送信するスキャン画像データ送信手段と
を備えることを特徴とするファクシミリ装置。
【請求項２】
請求項１に記載のファクシミリ装置であって、
ファクシミリ装置の動作モードを受け取るモード設定入力手段と、
前期受け取った動作モードが手動である場合、前記偽造抑止地紋を再構成する情報を手動で設定する偽造抑止地紋設定手段と
さらに備えたことを特徴とするファクシミリ装置。
【請求項３】
請求項１または２に記載のファクシミリ装置であって、
前記文書画像の送信操作を行うユーザに操作権限があるか否かを判定して、認証するユーザ認証手段
をさらに備えたことを特徴とするファクシミリ装置。
【請求項４】
前記偽造抑止地紋情報抽出手段は、
スキャン画像データに偽造抑止地紋が含まれているかどうかを判定する偽造抑止地紋有無判定手段と、
潜像に関する情報を抽出する潜像情報抽出手段と、
カモフラージュに関する情報を保存するカモフラージュ情報保存手段と、
前記カモフラージュ情報保存手段によって保存された情報をもとに、カモフラージュに関する情報を抽出するカモフラージュ情報抽出手段と、
偽造抑止地紋の濃度を抽出する濃度抽出手段と
を備えたことを特徴とする請求項１乃至３のいずれかに記載のファクシミリ装置。
【請求項５】
前記偽造抑止地紋有無判定手段は、スキャン画像データに低域通過フィルタをかけた画像データのヒストグラムを作成し、濃度を表現する部位のスキャン画像データの周波数特性を調べて、偽造抑止地紋の有無を判定することを特徴とする請求項４に記載のファクシミリ装置。
【請求項６】
前記偽造抑止地紋有無判定手段は、クラスタリングアルゴリズムを用いて周波数特性の特徴を調べることを特徴とする請求項４または５に記載のファクシミリ装置。
【請求項７】
前記クラスタリングアルゴリズムは、ｋ−ｍｅａｎ法であることを特徴とする請求項６に記載のファクシミリ装置。
【請求項８】
前記クラスタリングアルゴリズムは、ＬＢＧアルゴリズムであることを特徴とする請求項６に記載のファクシミリ装置。
【請求項９】
偽造抑止地紋に対応していないファクシミリ装置に、偽造抑止地紋を含む文書画像を送信することができるファクシミリ装置であって、
前記偽造抑止地紋を再構成する情報から偽造抑止地紋を再構成する偽造抑止地紋構成手段と
偽造抑止地紋が削除された前記スキャン画像データとともに、前記再構成された偽造抑止地紋を画像データとして送信するスキャン画像データ送信手段と
をさらに備えたことを特徴とする請求項１乃至８のいずれかに記載のファクシミリ装置。
【請求項１０】
前記偽造抑止地紋を再構成する情報は、潜像画像、地紋の濃度情報、及びカモフラージュ情報であることを特徴とする請求項１乃至９のいずれかに記載のファクシミリ装置。
【請求項１１】
偽造抑止地紋を含む文書画像を受信することができるファクシミリ装置であって、
前記文書画像を読み取って生成されたスキャン画像データから偽造抑止地紋が削除されたスキャン画像データとともに、前記スキャン画像データに含まれていた偽造抑止地紋を再構成する情報を受信するスキャン画像データ受信手段と、
前記偽造抑止地紋を再構成する情報から偽造抑止地紋を再構成する偽造抑止地紋構成手段と、
前記スキャン画像データ及び前記再構成された偽造抑止地紋を印刷する印刷手段と
を備えたことを特徴とするファクシミリ装置。
【請求項１２】
請求項１１に記載のファクシミリ装置であって、
前記文書画像の受信操作を行うユーザに操作権限があるか否かを判定して、認証するユーザ認証手段
をさらに備えたことを特徴とするファクシミリ装置。
【請求項１３】
前記偽造抑止地紋を再構成する情報は、潜像画像、地紋の濃度情報、及びカモフラージュ情報であることを特徴とする請求項１１または１２に記載のファクシミリ装置。
【請求項１４】
請求項１乃至１０のいずれかに記載の送信側ファクシミリ装置と、
請求項１１乃至１３のいずれかに記載の受信側ファクシミリ装置と、
前記送信側ファクシミリ装置と前記受信側ファクシミリ装置とを接続するネットワークと
を備えたことを特徴とする偽造抑止地紋送受信システム。
【発明の詳細な説明】
【技術分野】
【０００１】
本発明は一般に、ファクシミリ装置に関し、より詳細には、偽造抑止地紋が入った文書画像を、その潜像が浮き上がることなく送受信することのできるファクシミリ装置に関する。
【背景技術】
【０００２】
従来、不正複写物の利用防止、不正複写行為の心理的抑止を目的として、偽造抑止地紋と呼ばれる紋様が用いられている。偽造抑止地紋とは、電子写真複写されると、「コピー禁止」や「複写禁止」といった文字や像が浮かび上がる紋様である。
【０００３】
【特許文献１】特開平０８−２２３４０９号明細書
【特許文献２】特開平０９−３０５７５４号明細書
【特許文献３】特開２００５−０９１７３０号明細書
【非特許文献１】Ｃ  ＭＡＧＡＺＩＮＥ  ２００４年９月号
【非特許文献２】Ｔ．Ｌｉｎｄｅ，  Ａ．Ｂｕｚｏ，  ａｎｄ  Ｒ．Ｍ．Ｇｒａｙ，  “Ａｎ  ａｌｇｏｒｉｔｈｍ  ｆｏｒ  ｖｅｃｔｏｒ  ｑｕａｎｔｉｚｅｒ  ｄｅｓｉｇｎ”，  ＩＥＥＥ  Ｔｒａｎ．  Ｃｏｍｍｕｎ．，  ＣＯＭ−２８，  Ｎｏ．１，  ｐｐ．８４−９５，  １９８０
【非特許文献３】Ｒｉｃｈａｒｄ  Ｏ．  Ｄｕｄａ，  Ｐｅｔｅｒ  Ｅ．  Ｈａｒｔ  Ｄａｖｉｄ  Ｇ．  Ｓｔｏｒｋ，  “Ｐａｔｔｅｒｎ  Ｃｌａｓｓｉｆｉｃａｔｉｏｎ”，  Ｊｏｎ  Ｗｉｌｅｙ  ＆  Ｓｏｎｓ  ｐ．５２８
【発明の開示】
【発明が解決しようとする課題】
【０００４】
電子写真複写機を用いて複写を行うと、複写前には目に見えなかった像（潜像）が浮き上がる、偽造抑止地紋が入った文書画像（原稿）は、ファクシミリ装置で送受信した場合、複写機で複写した場合と同様に潜像が浮き上がってしまう。偽造抑止地紋は「不正複写物の利用禁止」や「不正複写の心理的抑止」のために用いられるものであり、電子写真複写機を用いて複写を行う場合、目に見えなかった像が浮き上がることは問題ではない。しかし、ファクシミリ装置で送受信することより目に見えなかった像が必ず浮き上がることは、問題である場合がある。例えば、偽造抑止地紋が入った文書画像を受信側でも「不正複写物の利用禁止」や「不正複写の心理的抑止」のために用いたい場合、受信側には潜像が浮き上がっていない文書画像が送られる必要がある。しかしながら、現在のファクシミリ装置では受信側で潜像が浮き上がってしまうため、受信側で用いることはできない。このような場合、偽造抑止地紋が入った文書画像を郵送するなどの手段をとるしかなかった。
【０００５】
そこで、本発明は、偽造抑止地紋が入った文書画像を電話網やインターネット等のネットワークで伝送しても潜像が浮き上がる事なく、受信側でもその文書画像を使用する事を可能にするファクシミリ装置の提供を目的とする。
【課題を解決するための手段】
【０００６】
このような目的を達成するために、本発明は、偽造抑止地紋を含む文書画像を送信することができるファクシミリ装置であって、前記文書画像を読み取ってスキャン画像データを生成する文書画像読取り手段と、前記スキャン画像データに含まれる偽造抑止地紋の背景部分の高周波成分を取り除くために、前記スキャン画像データに低域通過フィルタをかける低域通過フィルタ手段と、前記低域通過フィルタをかけられた前記スキャン画像データから、偽造抑止地紋を削除する下地飛ばし手段と、前記スキャン画像データに含まれる偽造抑止地紋を構成する情報を抽出して、受信側ファクシミリ装置で偽造抑止地紋を再構成する情報を生成する偽造抑止地紋情報抽出手段と、偽造抑止地紋が削除された前記スキャン画像データとともに、前記偽造抑止地紋を再構成する情報を送信するスキャン画像データ送信手段とを備えることを特徴とする。
【０００７】
また、本発明は、偽造抑止地紋を含む文書画像を受信することができるファクシミリ装置であって、前記文書画像を読み取って生成されたスキャン画像データから偽造抑止地紋が削除されたスキャン画像データとともに、前記スキャン画像データに含まれていた偽造抑止地紋を再構成する情報を受信するスキャン画像データ受信手段と、前記偽造抑止地紋を再構成する情報から偽造抑止地紋を再構成する偽造抑止地紋構成手段と、前記スキャン画像データ及び前記再構成された偽造抑止地紋を印刷する印刷手段とを備えたことを特徴とする。
【発明の効果】
【０００８】
本発明によれば、偽造抑止地紋が入った文書画像を電話網やインターネット等のネットワークで伝送しても潜像が浮き上がる事なく、受信側でもその文書画像を「不正複写物の利用禁止」や「不正複写の心理的抑止」のために用いることができる。さらに、ユーザ認証と組み合わせることによって、正当なユーザが正当なユーザにのみ偽造抑止地紋が入った文書画像を渡すことができ、不正なユーザには潜像が浮き上がった画像が渡されるという効果も実現することが可能となる。
【発明を実施するための最良の形態】
【０００９】
図１２は、偽造抑止地紋が入った文書画像を送受信することができるシステムの構成を示すブロック図である。
【００１０】
このシステムでは、送信側のファクシミリ装置１２０１、１２０４と受信側のファクシミリ装置１２０２、１２０５とが、ネットワーク１２０３、１２０６を介して接続されている。送信側のファクシミリ装置１２０１、１２０４は、偽造抑止地紋を含む文書画像を送信することができるファクシミリ装置である。ネットワーク１２０３、１２０６は、インターネットや電話網等のネットワークである。受信側のファクシミリ装置１２０２、１２０５は、偽造抑止地紋を含む画像を受信することができるファクシミリ装置である。このシステムにおいて、受信側のファクシミリ装置１２０２、１２０５は、偽造抑止地紋に対応しているファクシミリ装置でもよいし、偽造抑止地紋に対応していないファクシミリ装置でもよい。
【００１１】
図１２（ａ）は、送信側ファクシミリ装置１２０１及び受信側ファクシミリ装置１２０２ともに、偽造抑止地紋に対応しているシステムの構成図である。一方、図１２（ｂ）は、送信側ファクシミリ装置１２０４のみ偽造抑止地紋に対応し、受信側ファクシミリ装置１２０５は偽造抑止地紋に対応していないシステムの構成図である。
【００１２】
図１２（ａ）においては、送信側は偽造抑止地紋に関する情報を送り、受信側が偽造抑止地紋を含む文書画像を生成する。一方、図１２（ｂ）においては、送信側が偽造抑止地紋を含む文書画像を生成した上で、画像データとして受信側に偽造抑止地紋を伝送する。
【００１３】
（実施例１）
本実施例においては、図１２（ａ）の場合を前提として説明を進める。
【００１４】
図１は、偽造抑止地紋を含む文書画像を送信することができるファクシミリ装置の構成を示すブロック図である。このファクシミリ装置は、モード設定部０１００、スキャン部０１０１、低域通過フィルタ部０１０２、偽造抑止地紋情報抽出部０１０３、下地飛ばし部０１０４、解像度変換部０１０５、通信部０１０６を備える。さらに、ユーザ認証部０１０７、偽造抑止地紋設定部０１０８、受信先判断部０１０９を備える。
【００１５】
モード設定部０１００は、ファクシミリ装置の動作モードの設定を行う部分であり、動作モードには大きく、下記の３つがある。
【００１６】
１.通常    一般的なファクスの動作をするモード。  
２.手動    ユーザが手動で、偽造抑止地紋の各種パラメータを設定するモード。  
３.自動    偽造抑止地紋の有無が自動的に判断され、各種パラメータの設定も自動的に行われるモード。
【００１７】
これらの各モードにおいて、以下で説明するファクシミリ装置を構成する要素の全てが用いられる訳ではなく、その構成要素は必要に応じて用いられる。
【００１８】
３の自動モードでは、スキャン部０１０１、低域通過フィルタ部０１０２、偽造抑止地紋情報抽出部０１０３、下地飛ばし部０１０４、解像度変換部０１０５、通信部０１０６、ユーザ認証部０１０７が用いられる。
【００１９】
１の通常モードでは、スキャン部０１０１、解像度変換部０１０５、通信部０１０６が用いられる。これらは全て、３の自動モードでも用いられる。
【００２０】
２の手動モードでは、スキャン部０１０１、低域通過フィルタ部０１０２、下地飛ばし部０１０４、解像度変換部０１０５、通信部０１０６、偽造抑止地紋設定部０１０８が用いられる。３の自動モードでも用いられる部分は、スキャン部０１０１、低域通過フィルタ部０１０２、下地飛ばし部０１０４、解像度変換部０１０５、通信部０１０６である。３の自動モードでは用いられない部分は、偽造抑止地紋設定部０１０８である。
【００２１】
スキャン部０１０１は、原稿をスキャンし、多値画像を生成する部分である。  
低域通過フィルタ部０１０２は、スキャン部で生成した多値画像（スキャン画像データ）に低域通過フィルタをかける部分であり、ここで行われる処理は、後述する下地飛ばし部の前処理である。このフィルタは、細かいドットによって表現される偽造抑止地紋の背景領域の高周波数成分を取り除き、同じ濃度が中間調で表現されるようにするためのものである。
【００２２】
偽造抑止地紋情報抽出部０１０３は、スキャン画像データに偽造抑止地紋が含まれているかどうかを判断し、受信側ファクシミリ装置で偽造抑止地紋を再構成するための情報を、スキャン画像データの偽造抑止地紋より抽出する部分である。この部分の詳細については後述する。
【００２３】
下地飛ばし部０１０４は、前処理である低域通過フィルタ部の処理結果を受け、二値化の特別な方法を用いて、下地、つまりスキャン画像データに含まれる偽造抑止地紋をキャンセル（削除）する部分である。この二値化の特別な方法としては、特許文献１や特許文献２に開示されている方法が挙げられる。
【００２４】
解像度変換部０１０５は、受信側ファクシミリ装置の印刷解像度に合わせて、解像度の変換を行う部分である。具体的には、印刷時の大きさが同じになるように、スキャン時解像度と印刷時解像度とを踏まえて、デジタル画像の拡大縮小を行う。拡大縮小の方法としては、最近傍（ニアレスト・ネイバー）法、または線形補間法などが用いられる（非特許文献１参照）。
【００２５】
通信部０１０６は、電話網やインターネット等のネットワークを通じて、受信側ファクシミリ装置と通信を行う部分である。この部分は、受信側のファクシミリ装置が偽造抑止地紋に対応しているかどうかを判断する際に、後述する受信先判断部０１０９とともに用いられる。また、受信側の印刷解像度を取得する際にも用いられる。
【００２６】
ユーザ認証部０１０７は、パスワードによって、偽造抑止地紋を含む文書画像の送信操作を行うユーザに、その操作権限があるか否かを判定し、認証する部分である。本実施例では例示のために、パスワードによってユーザ認証を行うこととしているが、生体認証等の適切なユーザ認証手段を代わりに用いることもできる。
【００２７】
偽造抑止地紋設定部０１０８は、偽造抑止地紋の各種パラメータを手動で設定する部分である。ここでいう偽造抑止地紋の各種パラメータは、上述の偽造抑止地紋情報抽出部０１０３で抽出される、偽造抑止地紋を再構成するための情報に相当する。
【００２８】
受信先判断部０１０９は、受信側が偽造抑止地紋に対応しているかどうかを判断する部分である。この判断には、プロトコルにＴ３０を用い、ＤＩＳとＤＣＳの拡張フィールドに、受信側が偽造抑止地紋に対応しているかどうかを示す情報を定めておき、その有無によって判断を行う。
【００２９】
図２は、偽造抑止地紋情報抽出部０１０３の構成を示すブロック図である。以下に、図２を用いて、偽造抑止地紋情報抽出部０１０３の詳細について説明する。
【００３０】
偽造抑止地紋情報抽出部０１０３は、スキャン画像データに偽造抑止地紋が含まれているかどうかを判定する偽造抑止地紋有無判定部０２０１と、潜像を抽出する潜像情報抽出部０２０２とを備える。また、カモフラージュに関する情報を抽出するカモフラージュ情報抽出部０２０３と、カモフラージュに関する情報を保存するカモフラージュ情報保存部０２０４と、偽造抑止地紋の紋様の濃度を抽出する濃度抽出部０２０５とを備える。
【００３１】
図３は、偽造抑止地紋有無判定部０２０１の構成を示すブロック図である。この偽造抑止地紋有無判定部０２０１は、スキャン画像データの周波数特性を調べて、スキャン画像データに偽造抑止地紋が含まれているかどうかを判定する。そのために、偽造抑止地紋有無判定部０２０１は、分割部０３０１、特徴パラメータ算出部０３０２、クラスタリング部０３０３、二値化部０３０４、分割部０３０５、積み重ね部０３０６、パターン認識部０３０７、及び判定部０３０８を備える。
【００３２】
分割部０３０１は、スキャン画像データを一定の大きさの矩形で、格子状に分割する部分である。  
特徴パラメータ算出部０３０２は、格子状に分割された各矩形における特徴パラメータを算出する部分である。特徴パラメータとしては、２次元フーリエ変換を施した後の、振幅スペクトラムを用いる。
【００３３】
クラスタリング部０３０３は、算出された特徴パラメータを、クラスタリングアルゴリズムを用いて複数のクラスタとして生成する部分である。この、周波数特性を調べるためのクラスタリングアルゴリズムとしては、ＬＢＧアルゴリズム（非特許文献２参照）、またはｋ−ｍｅａｎ法（非特許文献３参照）を用いる。
【００３４】
二値化部０３０４は、スキャン画像データを単一の閾値で二値化する部分である。その閾値は、スキャン画像データのヒストグラム、及びカモフラージュテンプレートの面積率から設定される。具体的には、ヒストグラムを輝度値の全てに対して積分した積分値と、最も明るいものを示す輝度値からある値までの積分値との割合が、上述の面積率と同一となる値を閾値とする。
【００３５】
分割部０３０５は、カモフラージュテンプレートの大きさで格子状に、二値画像を分割する部分である。ここでいうカモフラージュテンプレートとは、予め地紋に用いられるカモフラージュのパターンを複数用意したものであり、その黒画素の面積率とサイズは一定である。
【００３６】
積み重ね部０３０６は、分割された二値画像を積み重ねて、多値画像を生成する部分である。具体的には、入力される全ての二値画像について、各画素に画素値を足し合わせた値を各画素値とする、多値画像を出力する。  
パターン認識部０３０７は、カモフラージュテンプレートと多値画像のマッチドフィルタを計算し、パターンマッチングを行う部分である。
【００３７】
判定部０３０８は、クラスタリングの結果とパターンマッチングの結果から、偽造抑止地紋の有無を判定する部分である。この部分は、クラスタリングの結果が、偽造抑止地紋を表す可能性が高く、且つパターンマッチングの結果が、予め登録されているカモフラージュパターンとの類似性を大きいとするものである場合に、偽造抑止地紋有りと判断する。なお、上述した、クラスタリングの結果が偽造抑止地紋を表す可能性が高いというのは、より具体的には、クラスタリングの結果表されるクラスタの代表ベクトルが、地紋の潜像部及び背景部の特徴をよく表す場合のことをいう。
【００３８】
図４は、潜像情報抽出部０２０２の構成を示すブロック図である。  
潜像情報抽出部０２０２は、差分画像生成部０４０１、低域通過フィルタ部０４０２、及び演算部０４０３を備える。
【００３９】
差分画像生成部０４０１は、スキャン画像データから文書及び画像を差し引いて、背景のみの画像を生成する部分である。  
低域通過フィルタ部０４０２は、背景のみの画像に低域通過フィルタをかけ、電子写真複写後に浮き上がる、大きなドットで構成される領域（潜像部）を抽出する部分である。
【００４０】
演算部０４０３は、抽出された潜像部の画像から、潜像画像を生成する部分である。具体的には、低域通過フィルタを掛けられた画像に、太め処理を施し、潜像部のドットとドットの間がオンとなる演算を施す。ここで、太め処理では、二値画像における、黒いドットに接する白いドットを黒いドットに変更する処理を１回以上行う。これにより、潜像部の大きなドット同士の間を埋めることができ、元の潜像に相当する画像を生成することができる。
【００４１】
図５は、カモフラージュ情報抽出部０２０３の構成を示すブロック図である。  
カモフラージュ情報抽出部０２０３は、二値化部０５０１、分割部０５０２、積み重ね部０５０３、及びパターン認識部０５０４を備える。
【００４２】
二値化部０５０１は、スキャン画像データを、ある閾値で二値化する部分である。その二値化閾値は、カモフラージュテンプレートの黒画素の面積率と、スキャン画像データのヒストグラムとから求められる。  
分割部０５０２は、カモフラージュテンプレートからカモフラージュのサイズを取得し、そのサイズで、二値画像を格子状に分割する部分である。  
積み重ね部０５０３は、分割された二値画像の一つ一つを積み重ねて、多値画像を生成する部分である。  
パターン認識部０５０４は、多値画像とカモフラージュテンプレートのマッチドフィルタを取る事によってパターン認識を行う部分である。
【００４３】
図６は、濃度抽出部０２０５の構成を示すブロック図である。  
濃度抽出部０２０５は、低域通過フィルタ部０６０１、ヒストグラム計算部０６０２、及び地紋濃度計算部０６０３を備える。
【００４４】
低域通過フィルタ部０６０１は、スキャン画像データに低域通過フィルタをかける部分である。  
ヒストグラム計算部０６０２は、ヒストグラムを計算する部分である。  
地紋濃度計算部０６０３は、ヒストグラムをもとに、地紋の濃度を計算する部分である。具体的には、地紋自体の面積が文書画像中で比較的大きい事を利用して、ヒストグラム中の地紋の濃度に相当する部分を抽出する。ヒストグラム中では、地紋の濃度に相当する部分の周辺の濃度は周りに比べて高く、ピークを有していると考えられる。そこで、ピークを検出することによって、地紋の濃度を計算する。
【００４５】
図７は、図１を用いて説明したファクシミリ装置の、送信時の動作フロー図である。  
図１に示されるファクシミリ装置は、先ず、スキャン部０１０１で原稿をスキャンし（Ｓ０７０１）、多値画像（スキャン画像データ）を生成する。次いで、モード設定部０１００において、予め設定されているモードを判定する（Ｓ０７０２）。
【００４６】
モードが通常である場合、通信部０１０６が送信先解像度を取得し（Ｓ０７０４）、必要に応じて、解像度変換部０１０５が解像度を変換し（Ｓ０７０５）、通信部０１０６が文書画像を送信する（Ｓ０７０６）。
【００４７】
モードが自動である場合、スキャン画像データに偽造抑止地紋が含まれているかどうかを偽造抑止地紋情報抽出部０１０３が判断する（Ｓ０７０３）。偽造抑止地紋が含まれていなければ、上述のＳ０７０４に進み、偽造抑止地紋が含まれていれば、受信側が偽造抑止地紋に対応しているかどうかを受信先判断部０１０９が判定する（Ｓ０７０７）。受信側が偽造抑止地紋に対応していなければ、上述のＳ０７０４に進み、通常モードと同じ手順を行う。受信側が偽造抑止地紋に対応していれば、ユーザ認証部０１０７でユーザ認証を行う（Ｓ０７０８）。
【００４８】
次いで、偽造抑止地紋情報抽出部０１０３で、偽造抑止地紋の各種パラメータ（潜像画像、地紋の濃度情報、カモフラージュ情報）を取得し（Ｓ０７０９）、下地飛ばし部０１０４で文書画像を取得する（Ｓ０７１０）。次に、通信部０１０７にて送信先解像度を取得し（Ｓ０７１１）、解像度変換部０１０５にて文書画像解像度を変換する（Ｓ０７１２）。続いて、偽造抑止地紋の各種パラメータと文書画像を、通信部０１０６が送信先に送信する（Ｓ０７１３）。
【００４９】
モードが手動である場合、まず、ユーザ認証部０１０７でユーザ認証を行い（Ｓ０７１４）、ユーザ自身が偽造抑止地紋設定部０１０８にて偽造抑止地紋の各種パラメータを設定する（Ｓ０７１５）。次いで、下地飛ばし部０１０４で文書画像を取得する（Ｓ０７１０）。以降の処理は、モードが自動である場合の処理と同様である。
【００５０】
図８は、偽造抑止地紋を受信し、それを印刷することができるファクシミリ装置の構成を示すブロック図である。このファクシミリ装置は、通信部０８０１、偽造抑止地紋構成部０８０２、印刷部０８０３、ユーザ認証部０８０４、及び送信先判断部０８０５を備える。
【００５１】
通信部０８０１は、電話網やインターネット等のネットワークを通じて、送信元のファクシミリ装置と通信を行う部分である。  
偽造抑止地紋構成部０８０２は、送信元のファクシミリ装置から送られてきた文書画像及び偽造抑止地紋の各種パラメータ（潜像画像、地紋の濃度情報、カモフラージュ情報）を元に、偽造抑止地紋を構成する部分である。この偽造抑止地紋構成部０８０２は、特許文献３に開示されている地紋画像生成部と同一である。
【００５２】
以下に、特許文献３に開示されている地紋画像生成部に入力されるデータと、本実施例で示すデータとの対応関係を説明する。
【００５３】
特許文献３に開示されている地紋画像生成部の入力データとしては、入力背景画像、潜像閾値パターン、背景閾値パターン、色情報、処理領域情報、潜像背景領域指定画像、カモフラージュ領域指定画像がある。このうち、入力背景画像は文書画像、潜像閾値パターンは渦巻型ディザマトリクスに基づいてグレースケール画像を二値化したパターンである。また、背景閾値パターンはベイヤー型ディザマトリクスに基づいてグレースケール画像を二値化したパターンである。処理領域情報は文書画像全面、潜像背景領域指定画像は地紋構成情報の潜像情報、カモフラージュ領域指定画像は地紋構成情報のカモフラージュ情報である。また、特許文献３に開示されている地紋画像生成部より出力されるデータとしては、地紋合成出力原稿画像があり、これは受信側ファクシミリ装置で印刷される文書画像に対応する。
【００５４】
印刷部０８０３は、印刷を行う部分である。  
ユーザ認証部０８０４は、パスワードを用いて、偽造抑止地紋を含む文書画像の受信操作を行うユーザに、その操作権限があるか否かを判定し、認証する部分である。本実施例では例示のために、パスワードによってユーザ認証を行うこととしているが、生体認証等の適切なユーザ認証手段を代わりに用いることもできる。
【００５５】
送信先判断部０８０５は、必要に応じて、送信側に自らが偽造抑止地紋に対応しているファクシミリ装置である事を知らせ、送信側が偽造抑止地紋に対応しているかどうか、及び受信する内容に偽造抑止地紋の各種パラメータが含まれているかどうかを判断する。この判断には、上述した送信側のファクシミリ装置における受信先判断部０１０９と同様に、プロトコルにＴ３０を用い、ＤＩＳとＤＣＳの拡張フィールドに、偽造抑止地紋に対応しているかどうかを示す情報を定めておき、その有無によって判断を行う。
【００５６】
図９は、図８を用いて説明したファクシミリ装置の、受信時の動作フロー図である。  
先ず、通信部０８０１が通信を開始する（Ｓ０９０１）。次いで、送信先判断部０８０５にて、受信する内容に偽造抑止地紋の各種パラメータが含まれているかどうかを判断する（Ｓ０９０２）。偽造抑止地紋の各種パラメータが含まれている場合、ユーザ認証部０８０４でユーザの認証を行い（Ｓ０９０３）、偽造抑止地紋構成部０８０２で偽造抑止地紋を構成する（Ｓ０９０４）。次いで、印刷部０８０３で印刷を行う（Ｓ０９０５）。偽造抑止地紋の各種パラメータが含まれていない場合、ユーザ認証（Ｓ９０３）及び偽造抑止地紋構成（Ｓ９０４）を行わずに、印刷部０８０３で印刷を行う（Ｓ０９０５）。
【００５７】
なお、上述した送信側及び受信側ファクシミリ装置はいずれも、コンピュータ、スキャナ、及びプリンタの組み合わせによっても実現可能である。
【００５８】
（実施例２）
本実施例では、システム構成が図１２（ｂ）の場合、つまり、送信側ファクシミリ装置のみが偽造抑止地紋に対応し、受信側ファクシミリ装置は偽造抑止地紋に対応していない場合について説明する。実施例１が、送信側及び受信側ファクシミリ装置がいずれも、図１及び図８に示す偽造抑止地紋に対応したファクシミリ装置であるのに対し、本実施例では、受信側ファクシミリ装置が偽造抑止地紋に対応していない。
【００５９】
図１１は、偽造抑止地紋を含む文書画像を送信することができるファクシミリ装置の構成を示すブロック図である。図１１において、図１と同一の符号は同一のものを表す。以下では、図１のファクシミリ装置とは異なる点を説明する。
【００６０】
図１１のファクシミリ装置において、図１のファクシミリ装置と異なる点は、偽造抑止地紋構成部１１０１を備えることである。
【００６１】
偽造抑止地紋構成部１１０１は、受信側の印刷解像度と偽造抑止地紋の各種パラメータ（潜像画像、地紋の濃度情報、カモフラージュ情報）とを元に、偽造抑止地紋を再構成する部分である。この部分の詳細は、図８の偽造抑止地紋構成部０８０２と同様である。また、偽造抑止地紋構成部１１０１は、自動モード及び手動モードで用いる装置内に備えられている。このように、偽造抑止地紋構成部１１０１が送信側にあることにより、送信側で偽造抑止地紋を描画し受信側へ送信できるので、受信側が偽造抑止地紋に対応していなくとも、受信側で偽造抑止地紋を適切に出力することができる。
【００６２】
図１０は、図１１を用いて説明したファクシミリ装置の、送信時の動作フロー図である。  
先ず、スキャン部０１０１にて文書をスキャンする（Ｓ１００１）。次いで、モード設定部０１００にて、予め定められているモードを判定する（Ｓ１００２）。  
モードが通常である場合、通信部０１０６で受信側解像度を取得し（Ｓ１００４）、解像度変換部０１０５で解像度を変換し（Ｓ１００５）、通信部０１０６で送信を行う（Ｓ１００６）。
【００６３】
モードが自動である場合、スキャン画像データに偽造抑止地紋が含まれているかどうかを偽造抑止地紋情報抽出部０１０３が判断する（Ｓ１００３）。偽造抑止地紋が含まれていなければ、上述のＳ１００４へ進み、偽造抑止地紋が含まれていれば、ユーザ認証部０１０７にてユーザ認証を行う（Ｓ１００７）。次に、偽造抑止地紋情報抽出部０１０３で、偽造抑止地紋構成情報を取得する（Ｓ１００８）。
【００６４】
次いで、解像度変換部０１０５が文書画像を取得し（Ｓ１００９）、通信部０１０６が受信側の解像度を取得し、解像度変換部０１０５に伝える（Ｓ１０１０）。次に、解像度変換部０１０５が、文書画像のサイズを受信側の解像度に合わせて変換する（Ｓ１０１１）。
【００６５】
続いて、受信先判断部０１０９にて、受信側のファクシミリ装置が偽造抑止地紋に対応しているか否かを判定する（Ｓ１０１２）。偽造抑止地紋に対応していれば、通信部０１０６が文書画像と偽造抑止地紋の各種パラメータとを送信する（Ｓ１０１３）。偽造抑止地紋に対応していなければ、偽造抑止地紋構成部１１０１にて偽造抑止地紋を構成し（Ｓ１０１４）、通信部０１０６が画像として受信側に送信する（Ｓ１０１５）。
【００６６】
モードが手動である場合、ユーザ認証部０１０７がユーザ認証を行い（Ｓ１０１６）、偽造抑止地紋設定部０１０９が、偽造抑止地紋の各種パラメータを設定し（Ｓ１０１７）、文書画像を取得する（Ｓ１００９）。以降の処理は上述した通りである。
【００６７】
なお、本実施例のファクシミリ装置も、コンピュータ、スキャナ、及びプリンタの組み合わせによって実現可能である。
【図面の簡単な説明】
【００６８】
【図１】偽造抑止地紋を含む文書画像を送信することができるファクシミリ装置の構成を示すブロック図である。
【図２】偽造抑止地紋情報抽出部の構成を示すブロック図である。
【図３】偽造抑止地紋有無判定部の構成を示すブロック図である。
【図４】潜像情報抽出部の構成を示すブロック図である。
【図５】カモフラージュ情報抽出部の構成を示すブロック図である。
【図６】濃度抽出部の構成を示すブロック図である。
【図７】図１を用いて説明したファクシミリ装置の、送信時の動作フロー図である。
【図８】偽造抑止地紋を受信し、それを印刷することができるファクシミリ装置の構成を示すブロック図である。
【図９】図８を用いて説明したファクシミリ装置の、受信時の動作フロー図である。
【図１０】図１１を用いて説明したファクシミリ装置の、送信時の動作フロー図である。
【図１１】偽造抑止地紋を含む文書画像を送信することができるファクシミリ装置の構成を示すブロック図である。
【図１２】偽造抑止地紋が入った文書画像を送受信することができるシステムの構成を示すブロック図である。
【符号の説明】
【００６９】
０１００  モード設定部
０１０１  スキャン部
０１０２  低域通過フィルタ部
０１０３  偽造抑止地紋情報抽出部
０１０４  下地飛ばし部
０１０５  解像度変換部
０１０６  通信部
０１０７  ユーザ認証部
０１０８  偽造抑止地紋設定部
０１０９  受信先判断部
【図１】
2008017429.tif 000003
【図２】
2008017429.tif 000004
【図３】
2008017429.tif 000005
【図４】
2008017429.tif 000006
【図５】
2008017429.tif 000007
【図６】
2008017429.tif 000008
【図７】
2008017429.tif 000009
【図８】
2008017429.tif 000010
【図９】
2008017429.tif 000011
【図１０】
2008017429.tif 000012
【図１１】
2008017429.tif 000013
【図１２】
2008017429.tif 000014